【手続補正書】
【提出日】平成18年3月1日(2006.3.1)
【手続補正１】
【補正対象書類名】明細書
【補正対象項目名】発明の名称
【補正方法】変更
【補正の内容】
【発明の名称】ビデオ復号器における変調器チャネル用の対話型選択装置および同調方法
【手続補正２】
【補正対象書類名】明細書
【補正対象項目名】特許請求の範囲
【補正方法】変更
【補正の内容】
【特許請求の範囲】
【請求項１】  画像処理装置を含むアクセサリにビデオ信号受信機をコンパチブルに同調させる方法であって、
コマンド応答を起動するようユーザに指示するための表示用の指示メッセージを発生するステップと、
第１と第２の出力信号を発生するステップと、
を含み、
前記第１と第２の出力信号の各々は前記指示メッセージを含んでおり、前記第１と第２の出力信号のうちの１つだけが前記画像処理装置にコンパチブルに同調されるものであり、
さらに、前記第１と第２の出力信号を前記画像処理装置に交互に供給して、前記供給された出力信号のうちの１つが前記画像処理装置にコンパチブルに同調されたときに前記指示メッセージを読みやすい形態で表示させるステップと、
前記コマンドに応答して前記コンパチブルな出力信号を選択するステップと、
を含む、前記方法。
【請求項２】  指示メッセージを発生する前記ステップにおいて、前記指示メッセージは変調器チャネル設定の参照を含まないものである、請求項１記載の方法。
【請求項３】  前記ビデオ受信機によって受信されたビデオ・プログラム情報を前記画像処理装置に供給するステップを含み、それによって、前記ビデオ・プログラム情報および前記指示メッセージが前記画像信号処理装置によって表示されるものである、請求項１記載の方法。
【請求項４】  表示手段とコンパチブルである変調器出力チャネル・キャリアを選択するビデオ信号受信機方法であって、
第１と第２の変調器チャネル・キャリア周波数を発生するステップと、
コマンド応答を起動するようユーザに指示するための表示用の指示メッセージを発生するステップと、
前記第１と第２の変調器チャネル・キャリアを前記指示メッセージで変調して、第１と第２の変調された信号を供給するステップと、
を含み、
前記第１と第２の変調された信号は、前記表示手段に交互に供給されて、前記表示手段が前記第１と第２の変調された信号のうちの１つにコンパチブルに同調されたときにだけ前記指示メッセージが読みやすい形態で表示されるものであり、
さらに、前記ユーザ起動のコマンドに応答して前記変調器出力チャネル・キャリアを選択するステップを含み、
前記選択された変調器出力チャネル・キャリアは、前記読みやすい形態で表示される指示メッセージを供給する、前記第１と第２の変調器出力チャネル・キャリアのうちの１つである、
前記方法。
【請求項５】  指示メッセージを発生する前記ステップにおいて、前記指示メッセージは変調器チャネル設定の参照を含まないものである、請求項４記載の方法。
【請求項６】  変調器出力チャネル・キャリアを選択する選択装置を含み、受信したビデオ・プログラム情報で変調器チャネル・キャリア周波数を変調して、表示手段とコンパチブルな変調された出力信号を供給するビデオ信号受信機であって、
前記選択装置は、
第１と第２の変調器チャネル・キャリア周波数を発生する手段（２０）と、
コマンド応答を起動するようユーザに指示するための表示用の指示メッセージを発生する手段（４７）と、
前記指示メッセージで前記第１と第２の変調器チャネル・キャリアを変調して第１と第２の変調された信号を供給する手段（１４、５０）と、
を具え、
前記第１と第２の変調された信号は、前記表示手段に交互に供給されて、前記表示手段が前記第１と第２の変調された信号のうちの１つにコンパチブルに同調されたときにだけ前記指示メッセージが読みやすい形態で表示されるものであり、
さらに、前記ユーザ起動のコマンドに応答して前記変調器出力チャネル・キャリアを選択する手段（１５、６０）を具えるものであり、
前記選択された変調器出力チャネル・キャリアは、前記読みやすい形態で表示される指示メッセージを供給する、前記第１と第２の変調器出力チャネル・キャリアのうちの１つである、
ビデオ信号受信機。
【請求項７】  前記指示メッセージは変調器チャネル設定の参照を含まないものである、請求項６記載の装置。
【請求項８】  前記ユーザ起動のコマンドは、前記指示メッセージによって指示されるものであり、変調器チャネル設定要求とは無関係なものである、請求項６記載の装置。
【請求項９】  前記指示メッセージは、ビデオ受信機操作情報においてプロンプトとしてユーザに識別されるａ）テキスト・メッセージ、ｂ）アイコン、ｃ）グラフィック要素、ｄ）フラッシュ画像およびｅ）画像要素の中の少なくとも１つである、請求項６記載の装置。
【請求項１０】  前記選択手段は、２つより多い変調器チャネル・キャリアの中から前記変調器出力チャネル・キャリアを選択するものである、請求項６記載の装置。
【請求項１１】  前記第１と第２の変調された信号は、ａ）ビデオ受信機設定、ｂ）電源投入初期化、ｃ）電源中断およびソフトウェア・エラーを含む障害状態からの回復、およびｄ）ユーザ起動のコマンド、の中の少なくとも１つを含むビデオ受信機状態において、限定された期間に前記指示メッセージを表示するために、前記表示手段に交互に供給されるものである、請求項６記載の装置。
【請求項１２】  前記第１と第２の変調された信号は交互に循環的に前記表示手段に供給されて、前記指示メッセージが繰り返し表示されるものである、請求項６記載の装置。
【手続補正３】
【補正対象書類名】明細書
【補正対象項目名】０００３
【補正方法】変更
【補正の内容】
【０００３】
ビデオ受信機（例えば、衛星受信機またはＶＣＲ）の変調器出力チャネルと、その変調器出力を受け取るテレビジョン受信機が同調するチャネルとの間にインコンパチビリティ（不適合、非両立性、非互換性、不一致）の問題が生じるかもしいれない。そのようなインコンパチビリティが生じるのは、ユーザがビデオ受信機の変調器チャネル設定を知らずにテレビジョン受信機を異なるチャネルに設定した場合である。そのとき、テレビジョン受信機チューナは、ビデオ受信機ＲＦ出力信号のキャリア周波数と同じキャリア周波数に設定されない。このような状況は、ビデオ受信機システムの初期設定のときに生じることがある。しかし、そのようなインコンパチビリティは、ユーザが自分の選択した変調器チャネルを忘れた場合、またはユーザが変調器チャネルを不注意にも（誤って）変えた場合、または変調器チャネルが知らないうちに変更された場合にも生じ得る。
【手続補正４】
【補正対象書類名】明細書
【補正対象項目名】０００５
【補正方法】変更
【補正の内容】
【０００５】
発明者は、ビデオ受信機装置を設定しおよび再構成するときに、ユーザに要求される知識および仕事（操作）を最小化すると有利であることを認識した。具体的には、ビデオ・アクセサリ（ｖｉｄｅｏ  ａｃｃｅｓｓｏｒｙ、例えばテレビジョン（ＴＶ）受信機）に取り付けられたビデオ受信機システム（例えば、衛星、地上波、またはケーブル受信機またはＶＣＲ）は最小限のユーザ・インタフェースで変調器チャネル・コンパチビリティを確保できることが望ましいと、発明者は認識した。さらに、そのようなコンパチビリティは、ユーザが所要の変調器チャネル設定を知らなくても達成できると、発明者は認識した。
【手続補正５】
【補正対象書類名】明細書
【補正対象項目名】０００６
【補正方法】変更
【補正の内容】
【０００６】
発明の実施の形態
図１には、本発明の原理を取り入れた衛星ビデオ信号受信機変調器段１２がブロック図で示されている。ユーザは、所要の変調器チャネル設定を知る必要がなく、テレビジョン（ＴＶ）受信機５２とコンパチブルな（に適合する）システム１２中の変調器チャネルを選択する。ビデオ・プログラム（番組）情報を含んだ受信ビデオ信号は、入力プロセッサ１４による処理の後で、変調器５０においてキャリア周波数Ｆｃを変調する。変調器５０は、位相ロックループ（Ｐｈａｓｅ  Ｌｏｃｋｅｄ  Ｌｏｏｐ：ＰＬＬ）回路網２０からキャリア周波数Ｆｃを受け取り、ＲＦ変調された出力信号をテレビジョン受信機５２に供給する。ＰＬＬ出力キャリア周波数Ｆｃは、マイクロプロセッサ１５によって、および基準周波数源（ソース）４５から供給される基準周波数によって決定される。マイクロプロセッサ１５は、ＰＬＬ２０によって出力されるキャリア周波数Ｆｃを制御することによって、変調器チャネルとして使用されるチャネルを選択する。マイクロプロセッサ１５は、双方向制御およびデータ・バスＣを用いてＰＬＬ２０の各構成要素およびユニット４７を構成設定し（ｃｏｎｆｉｇｕｒｅ）制御する。変調器チャネルの選択は、ビデオ受信機の初期設定のときに行われ、ビデオ受信機システムまたはテレビジョン受信機５２の構成に変更がない限り、例えばテレビジョン受信機５２の取替え等がない限り、通常は繰り返す必要がない。しかし、変調器チャネルの選択は、例えば、ａ）電源投入初期化、ｂ）電源中断およびソフトウェア・エラーを含めた障害状態または故障状態からの回復、およびｃ）ユーザによって起動されたコマンド（命令）を含めてその他の状態においても行われる。
【手続補正６】
【補正対象書類名】明細書
【補正対象項目名】０００７
【補正方法】変更
【補正の内容】
【０００７】
ＰＬＬ２０は、位相／周波数検出器（検波器）３０、補償および増幅回路網３５、電圧制御発振器（ＶＣＯ）４０およびプログラム可能な（ｐｒｏｇｒａｍｍａｂｌｅ）分周器（周波数分割器）２５からなる通常のプログラム可能な位相ロックループ（ＰＬＬ）である。制御バスＣを用いてマイクロプロセッサ１５によってプログラム可能な分周器２５内のレジスタに論理制御値が書き込まれて、電圧制御発振器４０によって変調器５０に供給されるＰＬＬ出力キャリア周波数Ｆｃが決定される。ＰＬＬ出力周波数はプログラム可能な分周器２５によって分周されて、検出器３０によって周波数基準源４５からの周波数基準と比較される。分周器２５によって実行される分周は、マイクロプロセッサ１５によって分周器２５内のレジスタに書き込まれた論理制御値によって決定される。検出器３０の出力電圧は、位相／周波数エラー（誤差）を表しており、ユニット３５によって増幅され処理されて、発振周波数制御信号が電圧制御発振器４０に供給される。ユニット３５により実行される増幅および処理によって、ＰＬＬの安定性が確保される。その処理によって、例えば公知の濾波の形態で補償が行われる。
【手続補正７】
【補正対象書類名】明細書
【補正対象項目名】００１０
【補正方法】変更
【補正の内容】
【００１０】
マイクロプロセッサ１５は、テレビジョン受信機５２とコンパチブルであるビデオ受信機変調器システム１２（図１）の変調器チャネルを選択するための図２のプロセス（処理）を用いる。システム１２の変調器チャネルは、ユーザが所要の変調器チャネル設定を知る必要なく、テレビジョン受信機５２とコンパチブルであるように選択される。これによって、変調器チャネル選択プロセスが簡易化され、そのプロセスへのユーザの関与（関わり）が減少するという利点が得られる。そのシステムの別の利点は、ユーザに変調器チャネル設定を示すための追加的な表示装置（ビデオ・プログラム表示装置とは別のもの、例えばユニット５２とは別のもの）を使用する必要がないことである。
【手続補正８】
【補正対象書類名】明細書
【補正対象項目名】００１７
【補正方法】変更
【補正の内容】
【００１７】
図２のプロセスを用いて、この例におけるチャネル３および４のような２つのチャネルより多いチャネルの中から変調器チャネルを選択してもよい。Ｎ個のチャネルから１つのチャネルを選択するために、例えば、マイクロプロセッサ１５は、前述の形態でコンパチブルなチャネルが決定されるまで、ステップ２０５〜２２５を最大Ｎ回まで繰り返すよう指令を出す。さらに、ステップ２０５〜２２５は循環的に繰り返されて、プロンプト・メッセージに応答する機会が連続的にユーザに与えられる。この場合、メッセージがテレビジョン・ユニット５２に第１のチャネルで３秒間だけ供給され、次いで第２のチャネルで３秒間だけ供給され、次いで再び第１と第２のチャネルで供給される。これは所望の回数だけ繰り返されてもよい。